(57)【要約】【課題】トラバースメカと周辺部品との相対的距離及び平行度が容易に調整でき、不確定要素による製品不良の発生を防ぐことができるトラバースメカの支持機構及びディスクドライブを提供する。【解決手段】光ディスクドライブのトラバースメカの支持機構４０であって、前記トラバースメカの複数箇所に防振部材４３を設け、光ディスクドライブのベース１０に係合するねじ部を有する取り付け部材４４とストッパ４２とで前記防振部材４３を挟み込むようにして前記トラバースメカを前記ベース上に浮動支持し、前記取り付け部材の回転に抵抗を与える加重部材４１を前記ストッパと前記ベースとの間に設けた。【選択図】　　　　図３
2004079024.tif 000002
【特許請求の範囲】
【請求項１】
光ディスクドライブのトラバースメカの支持機構であって、前記トラバースメカの複数箇所に防振部材を設け、光ディスクドライブのベースに係合するねじ部を有する取り付け部材とストッパとで前記防振部材を挟み込むようにして前記トラバースメカを前記ベース上に浮動支持し、前記取り付け部材の回転に抵抗を与える加重部材を前記ストッパと前記ベースとの間に設けたことを特徴とするトラバースメカの支持機構。
【請求項２】
前記加重部材はコイルスプリングであることを特徴とする請求項１に記載のトラバースメカの支持機構。
【請求項３】
前記防振部材は略中央に凹部を持つ柱状の弾性部材で形成され、前記凹部に前記トラバースメカが嵌合していることを特徴とする請求項１又は２記載の支持機構。
【請求項４】
前記防振部材は前記トラバースメカの３ヶ所に取り付けられていることを特徴とする請求項１から３のいずれか一項記載の支持機構。
【請求項５】
前記ストッパは、前記取り付け部材の雄ねじに係合する雌ねじを有することを特徴とする請求項１から４のいずれか一項記載の支持機構。
【請求項６】
トラバースメカを有する光ディスクドライブであって、前記トラバースメカの少なくとも３ヶ所に防振部材を設け、光ディスクドライブのベースに係合するねじ部を有する取り付け部材とストッパとで前記防振部材を挟み込むようにして前記トラバースメカを前記ベース上に浮動支持し、前記取り付け部材の回転に抵抗を与える加重部材を前記ストッパと前記ベースとの間に設けたことを特徴とする光ディスクドライブ。
【発明の詳細な説明】
【０００１】
【発明の属する技術分野】
本発明は光ディスクドライブに関し、より詳細には光ディスク回転駆動するターンテーブルと光ピックアップとを一体的に保持するトラバースメカを光ディスクドライブ内部のベース上に浮動支持する機構に関する。
【０００２】
【従来の技術】
光ディスクとしてＣＤ、ＣＤ−ＲＯＭ、ＣＤ−Ｒ、ＣＤ−ＲＷ、ＤＶＤ−ＲＯＭ等の様々なメディアが普及し、これらの光ディスクに記録されているデータを読み取ったり、または光ディスクにデータを書き込んだりするために光ディスクを一定な回転数に回転させるディスクドライブが知られている。このようなディスクドライブには、ディスク面のトラックを追跡するトラッキングサーボ、光ピックアップを移動させる送りモータを有する送りサーボなどいくつかのサーボ回路が搭載されており、光ディスクに対する記録・再生の動作を行っている。このようなディスクドライブでは、ダンパーを介してトラバースメカをベースとなる基板にねじ止めしている。
【０００３】
【発明が解決しようとする課題】
しかしながら、上記従来技術の支持機構は次の問題点を有する。
【０００４】
上記ダンパーは、トラバースメカとベースとの間を伝わる振動や衝撃を低減させるために設けられているので、適度な柔らかさを必要とする。このため、トラバースメカは衝撃や振動を受けたときに比較的容易に上下方向に移動する。この際、トラバースメカや光ディスクが上下方向に位置する部品（例えば、ディスク出し入れ用トレイ）に接触してしまう可能性がある。通常、この可能性を考慮してトラバースメカの支持機構を設計する。ところが、部品とトラバースメカとの位置関係は不確定要素が多い。例えば、光ピックアップ装置の傾斜角調整をスピンドルモータの傾きで調整する場合がある。また、トラバースメカの部品には、かならず部品公差が存在する。更には、光ディスクの偏心による振動も不確定要素の一つである。トラバースメカや光ディスクが部品に接触してしまうと、製品不良に直結する。このような不具合を回避するために、上述の不確定要素を許容できるように設計した場合には、結果的にスペースを浪費し、ポータブル製品等のスペースに厳密な製品では設計目標を達成できないことがある。
【０００５】
従って、本発明は上記従来技術の問題点を解決し、トラバースメカと部品との相対的間隔（距離）や平行度が容易に調整でき、不確定要素による製品不良の発生を防ぐことができるトラバースメカの支持機構及び光ディスクドライブを提供することを目的とする。
【０００６】
【課題を解決するための手段】
本発明は、請求項１に記載のように、光ディスクドライブのトラバースメカの支持機構であって、前記トラバースメカの少なくとも３ヶ所に防振部材を設け、光ディスクドライブのベースに係合するねじ部を有する取り付け部材とストッパとで前記防振部材を挟み込むようにして前記トラバースメカを前記ベース上に浮動支持し、前記取り付け部材の回転に抵抗を与える加重部材を前記ストッパと前記ベースとの間に設けたトラバースメカの支持機構である。取り付け部材の回転によって、当該取り付け部材が上下することで、トラバースメカのベースに対する位置、平行度を変えることができる。この場合、複数箇所に取り付け部材が設けられているため、これらを適宜回転させるだけで、トラバースメカと周囲の部品との相対的距離の調整及び平行度の調整を簡単に行うことができる。また、加重部材により取り付け部材の回転に抵抗が与えられているため、取り付け部材が回転し難くなる。よって、取り付け部材が空転して、トラバースメカが周囲の部品に接触する不具合を回避することができる。更に、トラバースメカは防振部材で浮動支持されているので、外部からの又は外部への振動伝達を軽減することができる。
【０００７】
上記構成のトラバースメカ支持機構において、例えば、前記加重部材はコイルスプリングである構成とすることができる。加重部材としてコイルスプリングを用いることで、取り付け部材に加重を簡単に与えることができる。
【０００８】
上記構成のトラバースメカ支持機構において、例えば、前記防振部材は略中央に凹部を持つ柱状の弾性部材で形成され、前記凹部に前記トラバースメカが嵌合している構成とすることができる。簡単な構成で、確実な防振効果を得ることができる。
【０００９】
上記構成のトラバースメカ支持機構において、例えば、前記防振部材を前記トラバースメカの３ヶ所に取り付ける。トラバースメカと周囲の部品との相対的距離を３ヶ所で調整できるので、その相対的距離及び平行度を容易に調整することができる。
【００１０】
上記構成のトラバースメカ支持機構において、例えば、前記ストッパは前記取り付け部材の雄ねじに係合する雌ねじを有する。これにより、防振部材を安定的に保持することができ、トラバースメカを安定的に浮動保持することができる。
【００１１】
本発明はまた、請求項６に記載のように、トラバースメカを有する光ディスクドライブであって、前記トラバースメカの少なくとも３ヶ所に防振部材を設け、光ディスクドライブのベースに係合するねじ部を有する取り付け部材とストッパとで前記防振部材を挟み込むようにして前記トラバースメカを前記ベース上に浮動支持し、前記取り付け部材の回転に抵抗を与える加重部材を前記ストッパと前記ベースとの間に設けた光ディスクドライブである。
【００１２】
【発明の実施の形態】
以下、本発明の実施の形態を、添付図面を参照して説明する。
【００１３】
図１は、本発明の一実施の形態に係るディスクドライブの構成を示す斜視図である。同図において、本発明のディスクドライブ１００は、主に、ベース１０、ディスク回転駆動部２０、トラバースメカ３０及びトラバースメカ支持機構４０を含んで構成されている。図示する構成では、トラバースメカ支持機構４０は３つ設けられている。３つのトラバースメカ支持機構４０を纏めてトラバースメカ支持機構と定義することもできる。後述する構成のトラバースメカ支持機構４０を３つ設けることで、トラバースメカ３０とその上下に位置する部品との相対的距離及び平行度を適切かつ簡単に調整することができる。
【００１４】
ディスク回転駆動部２０は、スピンドルモータやターンテーブルを有する。光ディスクのクランプ孔（図示せず）に回転軸を嵌入して、光ディスクをターンテーブル上にチャッキングする。この状態でスピンドルモータを駆動し、光ディスクを一定回転数で回転させる。ディスク回転駆動部２０はトラバースメカ３０に取り付けられている。トラバースメカ３０には、光ピックアップ５０も取り付けられている。トラバースメカ３０は、トラバースメカ支持機構４０により、ディスクドライブ１００のベース１０に取り付けられている。トラバースメカ支持機構４０はトラバースメカ３０から伸びた舌部分に係合し、トラバースメカ３０を浮動支持する。
【００１５】
図２はトラバースメカ支持機構４０を構成する各部材を示す分解斜視図、及び図３はトラバースメカ支持機構４０の断面図である。両図において、図１と同じ参照符号は同じ構成要素を示す。ディスクドライブ１００のトラバースメカ支持機構４０は、コイルスプリング４１、ストッパ４２、防振部材４３、及び取り付け部材４４を含んで構成されている。取り付け部材４４はいわゆる断付きねじで、中央部及び下部に雄ねじが形成されている。雄ねじは、ベース１０に形成されたねじ孔４８内部の雌ねじに係合する。ストッパ４２は円盤状を成し、防振部材４３は円柱状である。ストッパ４２及び防振部材４３の中心には、取り付け部材４４が嵌入する孔４５，４６がそれぞれ設けられている。ストッパ４２の孔４５には雌ねじが形成されており、取り付け部材４４の対応する部分には、孔４５の雌ねじに係合する雄ねじが形成されている。防振部材４３はラバー材やエラストマーなどの弾性体で形成されている。更に、防振部材４３の外周面にはトラバースメカ３０の舌部３１が嵌入する凹部４７が設けられている。そして、防振部材４３の凹部４７にトラバースメカ３０の舌部３１を嵌入させてトラバースメカ３０を挟持した状態の防振部材４３を順に重ね、ストッパ４２の孔４５及び防振部材４３の孔４６を通る取り付け部材４４で、コイルスプリング４１、ストッパ４２及び防振部材４３はベース１０の所定位置に設けられたねじ孔４８にねじ止めされている。これにより、トラバースメカ４０は、一定間隔で離間する取り付け部材４４のねじ頭とストッパ４２とで挟み込まれた防振部材４３によりベース１０上に浮動支持される。コイルスプリング４１は、取り付け部材４４の回転に抵抗を与える加重部材として機能する。コイルスプリング４１のばね力により、取り付け部材４４の雄ねじとベース１０に形成されたねじ孔４８内部の雌ねじとは圧接した状態に保持される。
【００１６】
取り付け部材４４を回転させることで、ベース１０と取り付け部材４４との間の距離をＤ１（図３（ａ））やＤ２（＜Ｄ１）（図３（ｂ））のように変化させることができる。よって、３ヶ所に設けられた取り付け部材４４を適当に回転させることで、トラバースメカ４０と上下に位置する部品との相対的距離及び平行度を可変することができる。この場合、３ヶ所に取り付け部材４４が設けられているため、これらを適宜回転させるだけで、相対的距離の調整及び平行度の調整を簡単に行うことができる。また、加重部材として機能するコイルスプリング４１により取り付け部材４４は回転し難くなり、経年変化等による位置ずれの発生を防止することができる。更に、トラバースメカ３０は防振部材４３で浮動支持されているので、外部からの又は外部への振動伝達を軽減することができる。
【００１７】
以上の通り、ＣＤ−Ｒ／ＲＷ等のトラバースメカ３０をトラバースメカ支持機構４０で浮動支持すれば、取り付け部材４４を回転させることのみで、傾斜角調整等の不確定要素による部品の干渉を防ぐことができ、トラバースメカ３０の最適な位置決めが可能となる。
【００１８】
以上、本発明の一実施の形態を説明した。本発明は上記実施の形態に限定されるものではなく、本発明の要旨の範囲内において種々の変形実施が可能である。例えば、防振部材４３は円柱状である必要はなく、角柱状であってもよい。また、加重部材はコイルスプリング４１に限定されるものではなく、板ばねなどストッパ４２をベースから引き離す方向に付勢するものであれば任意のものを用いることができる。
【００１９】
【発明の効果】
以上説明した本発明によれば、トラバースメカと周辺部品との相対的距離及び平行度を容易に調整することでき、不確定要素による製品不良の発生を防ぐことができる。
【図面の簡単な説明】
【図１】本発明の一実施の形態に係るディスクドライブの構成を示す斜視図である。
【図２】本発明のディスクドライブのトラバースメカ支持機構を構成する各部材を示す分解斜視図である。
【図３】本発明のディスクドライブのトラバースメカ支持機の断面図である。
【符号の説明】
１０　ベース　　　　　　　　　　　２０　ディスク回転駆動部
３０　トラバースメカ　　　　　　　４０　トラバースメカ支持機構
４１　コイルスプリング　　　　　　４２　ストッパ
４３　防振部材　　　　　　　　　　４４　取り付け部材
４５，４６　孔　　　　　　　　　　４７　凹部
４８　ねじ孔　　　　　　　　　　　　１００　ディスクドライブ
【図１】
2004079024.tif 000003
【図２】
2004079024.tif 000004
【図３】
2004079024.tif 000005